(57)【要約】【課題】情報通信機器等の装置を搭載したラック内の高い位置で工事や保守の作業をする際の作業効率を向上させ、設備費用の負担を軽減することを課題とする。【解決手段】ラック１に備え付けられる作業台２であって、作業台２をラック１から取っ手３を使用して引き出し、作業台２に設けた引き出しレール８を、ラック１に設けた垂直レール９と係合させてスライドさせ、作業台２を任意の高さに移動させ、ラック１のフレーム４に設けた引っかけ用穴５に作業台２に備えたストッパ７のフックを引っかけて固定する。【選択図】図１
2005268458.tif 000002
【特許請求の範囲】
【請求項１】
装置を取り付ける支柱と、前記支柱の外側に垂直レールとを具備したラックに備え付けられる作業台であって、
前面に取り付けられた引き出し用の取っ手と、
前記垂直レールに対向する両側面にそれぞれ固定された第１レールと、前記第１レールと係合して相互にスライドすると共に前記垂直レールに係合する第２レールとからなる引き出しレールと、
前記両側面にそれぞれ設けられ、フックを有するストッパとを備え、
前記作業台をラックから前記取っ手により引き出し、前記引き出しレールを前記垂直レール上でスライドさせて前記作業台を任意の高さに移動させ、前記ラックのフレームに複数個設けた引っかけ用穴に前記ストッパのフックを係合させて固定することを特徴とするラック備え付け用作業台。
【請求項２】
前記引き出し用の取っ手を前面及び背面に取り付け、前記ストッパを両側面の前面側及び背面側にそれぞれ設けたことを特徴とする請求項１記載のラック備え付け用作業台。
【請求項３】
前記ストッパが開閉式であることを特徴とする請求項１又は２記載のラック備え付け用作業台。
【請求項４】
装置を取り付ける支柱と、前記支柱の外側に垂直レールとを具備したラックに備え付けられる作業台であって、
前面に取り付けられた引き出し用の取っ手と、
前記垂直レールに対向する両側面にそれぞれ固定された第１レールと、前記第１レールと係合して相互にスライドすると共に前記垂直レールに係合する第２レールとからなる引き出しレールと、
前記両側面の端部に取り付けられ、バネにより前記ラックのフレーム側に付勢されたロック部を有する第１の滑車とを備え、
前記作業台をラックから前記取っ手により引き出し、前記第１の滑車と、前記ラックの内部の両側に設けた第２の滑車とを引っ張り手段によって協働させて、前記引き出しレールを前記垂直レール上でスライドさせて前記作業台を任意の高さに移動させ、前記ラックのフレームに複数個設けた引っかけ用穴に前記ロック部を係合させて固定することを特徴とするラック備え付け用作業台。
【請求項５】
前記作業台の上面に複数のローラーを設けたことを特徴とする請求項１〜４のいずれかに記載のラック備え付け用作業台。
【発明の詳細な説明】
【技術分野】
【０００１】
本発明は情報通信機器等の装置を搭載するラックに備え付けられる作業台に関するものである。
【背景技術】
【０００２】
従来、情報通信機器等を設置している施設では、ラック例えば標準規格となっている１９インチラック（特許文献１参照）の高い位置に搭載されているサーバ類にケーブルを配線する工事や保守作業を行う際は、踏み台や脚立等を用いて行っていた。
【特許文献１】特開平１０−２５７９２７号公報
【発明の開示】
【発明が解決しようとする課題】
【０００３】
しかしながら、工事、保守作業に用いる踏み台や脚立は、必ずしも施設に常備されている訳でないために外部より持ち込む煩わしさがあり、また、限られた台数では、複数の配線工事、保守作業が同時に行えず、作業効率を悪化させていた。
更に、踏み台の場合は、ラック内の作業位置の高さによっては、異なる高さの複数の踏み台を準備する必要があり、設備費用の負担が多かった。
【課題を解決するための手段】
【０００４】
上記した課題を解決するため、本発明は、ラックに備え付けられる作業台であって、作業台をラックから引き出し、任意の高さに移動させ、ラックのフレームに設けた引っかけ用穴に作業台に備えたストッパのフックを係合させて固定するようにしたものである。
【発明の効果】
【０００５】
本発明によれば、ラックに作業台が備え付けられており、その作業台を引き出し、任意の高さに移動させて固定することができるので、作業効率が向上する。また、個別に踏み台や脚立を準備する必要がなく、更に高さの異なる踏み台を複数調達する必要がないので、設備費用を削減することができる。
【発明を実施するための最良の形態】
【０００６】
発明の実施形態は、装置を取り付ける支柱と、支柱の外側に垂直レールとを具備したラックに備え付けられる作業台であって、前面に取り付けられた引き出し用の取っ手と、垂直レールに対向する両側面にそれぞれ固定された第１レールと、第１レールと係合して相互にスライドすると共に垂直レールに係合する第２レールとからなる引き出しレールと、両側面にそれぞれ設けられ、フックを有するストッパとを備え、作業台をラックから取っ手により引き出し、引き出しレールを垂直レール上でスライドさせて作業台を任意の高さに移動させ、ラックのフレームに複数個設けた引っかけ用穴にストッパのフックを係合させて固定することにより実現できる。
【実施例１】
【０００７】
図１は本発明の実施例１の斜視図、図２は実施例１の天板を外した状態の平面図、図３はフレームの部分を切り欠いた正面図、図４は側面坂を外した状態の側面図である。
図１において、ラック１に備え付けられる作業台２は、ラック１の最下部、即ち底坂上に配備される。作業台２は、人が乗って作業するために、例えば鋼材で丈夫な箱状に形成される。
作業第２の前面には、ラック１から作業台２を引き出すための取っ手３が取り付けられている。また両側面には、開閉式のストッパ７と引き出しレール８が設けられている。
ラック１のフレーム４には作業台２を任意の高さに固定するための引っかけ用穴５が設けられ、内部には装置を取り付けるための支柱６と、支柱６の外側に垂直レール９が設けられている。
【０００８】
支柱は、図２に示すようにこの例では４本設けられ、その上部はラック１の上部に固定され、下部は図１、３、４に示すようにラック１の底板から浮いた状態に構成され、図４に示すようにラック１に固定された取り付けバー１０に固定されている。
垂直レール９は、図２に示すように、支柱６の外側に、この例では４本設けられ、ラック１に固定されている。
作業台２は、図３に示すように浮いた状態の支柱６の下側に入り込む形になってラック１に収納される。
【０００９】
図５は引き出しレールを説明するための斜視図である。
引き出しレール８は、作業台２の両側面にそれぞれ固定された第１レール８１と、第１レール８１と係合して相互にスライドする第２レール８２とで構成される。
図はいわゆるスライドレールの例で、第１レール８１がインナーレール、第２レール８２がアウターレールとなっているが、その逆に構成することもできる。またストッパ等は適宜設ければ良い。
第２レール８２には、前記した垂直レール９と係合するための突起８３が垂直レール９に対応して前面側と背面側にそれぞれ設けられている。従って第２レール８２は垂直レール９と係合した場合には、垂直方向、即ち上下方向にはスライドして移動できるが、水平方向には移動できない。
【００１０】
図６は垂直レールを説明するための斜視図である。
垂直レール９は鋼板等を加工して箱型に構成され、引き出しレール８と対向する面側、即ちラック１の内部側の面にスリット９１が上部から下部まで形成されている。
このスリット９１に図５に示した第２レール８２の突起８３が係合する。従って、第１レール８１が第２レール８２に入り込む形で係合し、その第２レール８２が上記のように垂直レール９１に係合して、引き出しレール８が垂直レール９上を上下にスライドできるように構成される。
突起８３は垂直レール９のスリット９に入り込んで上下方向にスライドできればいかなる形状であっても良い。
また、垂直レール９のスリット９１と反対側の面に、図１に示したフレーム４の引っかけ用穴５に対応した高さの位置に穴をあけて、上下にスライドさせた任意の位置で突起８３の先端を引っかけて固定するようにしても良い。
【００１１】
図７及び８は実施例１の動作を示す斜視図である。
作業台２を使用してラック１内の高い位置で作業する場合について説明する。
作業台２は図１のようにラック１の最下部に収納されているので、ラック１の前面側から作業台２の取っ手３をつかんで矢印のように前面側に引き出す。
図７に示すように、第２レール８２は垂直レール９と係合しているので水平方向には移動しないが、第２レール８２と係合している第１レール８１は水平方向にスライドして、作業台２はラック１より前面側に引き出される。
ここで、作業台２の両側面のストッパ７を開いて作業台２がラック１内に戻らないようにセットする。
【００１２】
次に、図８に示すように、作業台２を上方に移動させると、引き出しレール８の第２レール８２の突起８３（図５）が垂直レール９のスリット９１（図６）内をスライドして、引き出しレール８が垂直レール９上を移動する。
作業台２を所定の高さに調整し、図８で拡大して示したようにストッパ７のフック７１をフレーム４の引っかけ用穴５に引っかけて作業台２を固定する。
なお、作業台２の底面側に突っかえ棒のような補助手段を設けている場合は、それを取り出し、引っかけ用穴５に係合させる等して作業台２の固定の補助にしても良い。
作業者は所定の高さに固定された作業台２に乗って工事、保守の作業をすることができる。
【００１３】
上記したように、実施例１によれば、ラック内に作業台が備え付けられており、その作業台を引き出し、任意の高さに移動させて固定することができるので、複数の踏み台や脚立を準備せずに複数の工事や保守の作業を同時に行うことができ、作業位置の高さによって踏み台を交換する必要もなく、作業効率が向上する。
また、個別に踏み台や脚立を準備する必要がなく、更に高さの異なる踏み台を複数調達する必要もないので、設備費用を削減することができる。
【実施例２】
【００１４】
図９は本発明の実施例２の斜視図で、背面側から見た図を示している。実施例１と同じ構成要素には同じ符号を付すことによりその説明を省略する。
実施例２は、ラック１の背面側にも作業台２０を引き出せるようにしたもので、ラック１の背面側のフレーム４を前面側と同じ構成にし、作業台２０の背面側にも引き出し用の取っ手２１を取り付けている。
なお、第１レール８１は、作業台２０を前面側にも背面側にも引き出せるようにするため、作業台２０の全長にわたって形成されている。
【００１５】
作業台２０を図の右側の前面側に引き出して上方へ移動させる方法は実施例と全く同じである。図の左側の背面側に引き出す場合は、作業台２０を前面側から背面側にスライドさせて移動し、取っ手２１を使用して図のように作業台２０を引き出す。その後の操作は実施例１で説明した動作と同じである。
【００１６】
上記したように、実施例２によれば、実施例１の効果に加えて、ラックの背面側で工事や保守の動作をする場合にも、ラックに備え付けの作業台を背面側に移動して使用することができるので、作業効率が更に向上する利点がある。
【実施例３】
【００１７】
図１０は本発明の実施例３の斜視図である。実施例１と同じ構成要素には同じ符号を付すことによりその説明を省略する。
実施例３は、工事や保守の作業だけでなく、重量のある装置をラック１に搭載する際にも使用できるようにしたものである。
作業台３０には、実施例１のストッパ７に代えて、その位置にロック部３２を有する第１の滑車３１を取り付ける。ロック部３２はバネ３３によりラック１のフレーム４の裏面側に付勢されており、フレーム４の引っかけ用穴５に係合する。
また、作業台３０の上面には、装置をスライドさせて移動し易くするために、複数個のローラー３４が設けられている。
【００１８】
ラック１内の両側には第２の滑車３５が設けられている。
作業台３０の第１の滑車３１とラック１の第２の滑車３５は引っ張り手段である例えばロープ３６で協働するように構成され、ロープ３６の一端はラック１の取り付け部３７に固定され、他端は矢印のように引っ張ることができるように構成される。
他方（図の左側）の第１の滑車３５もロープ３６により同様に構成しても良いが、取り付け部３７に固定しない他端に錘を接続しておき、右側のロープ３６だけで操作するようにしても良い。
【００１９】
作業台３０は実施例１と同様にラック１の底部に収納されているので、取っ手３を持ってラック１の前面側に引き出す。
次に、引っかけ用穴５に係合している左右の第１の滑車３１のロック部３２を手で押し、ロープ３６を軽く引くとバネ性を持ったロック部３２が可動し、引っかけ用穴５から離れ、更にロープ３６を引けば引き出しレール８と垂直レール９により作業台３０は上方に移動する。
作業台３０が必要な高さになった時にロープ３６の引きを止めると、バネ３３の付勢によりロック部３２が対応した引っかけ用穴５に挿入し、第１の滑車３１はロックされ、作業台３０は固定される。作業者は固定された作業台３０に乗って作業をすることができる。
【００２０】
装置をラック１に搭載する場合は、作業台３０を引き出し、その上に装置を載せ、ロープ３６を操作して作業台３０を所定の高さに上げて固定する。
装置を作業台３０からラック１に移す際は、作業台３０に設けたローラー３４を利用して装置をラック１内に押し込み、ラック１内の図示してない棚や補助レール等の上に載せて搭載することができる。
【００２１】
上記したように、実施例３によれば、実施例１の効果に加えて、第１及び第２の滑車を利用することにより、重量のある装置を作業台に載せてラックに搭載する高さまで簡単に移動することができ、また作業台に設けたローラーにより装置をラック内に容易に搭載できるので、１人でも作業を行うことが可能で作業効率が更に向上する。
なお、作業台の上面に複数のローラーを設けることは実施例１及び２にも適用することができる。
【図面の簡単な説明】
【００２２】
【図１】本発明の実施例１の斜視図である。
【図２】実施例１の平面図である。
【図３】実施例１の正面図である。
【図４】実施例１の側面図である。
【図５】引き出しレールの斜視図である。
【図６】垂直レールの斜視図である。
【図７】実施例１の動作を示す斜視図である。
【図８】実施例１の動作を示す斜視図である。
【図９】本発明の実施例２の斜視図である。
【図１０】本発明の実施例３の斜視図である。
【符号の説明】
【００２３】
１                    ラック
２，２０，３０        作業台
３，２１              取っ手
４                    フレーム
５                    引っかけ用穴
６                    支柱
７                    ストッパ
７１                  フック
８                    引き出しレール
８１                  第１レール
８２                  第２レール
８３                  突起
９                    垂直レール
９１                  スリット
１０                  取り付けバー
３１                  第１の滑車
３２                  ロック部
３３                  バネ
３４                  ローラー
３５                  第２の滑車
３６                  ロープ
３７                  取り付け部
【図１】
2005268458.tif 000003
【図２】
2005268458.tif 000004
【図３】
2005268458.tif 000005
【図４】
2005268458.tif 000006
【図５】
2005268458.tif 000007
【図６】
2005268458.tif 000008
【図７】
2005268458.tif 000009
【図８】
2005268458.tif 000010
【図９】
2005268458.tif 000011
【図１０】
2005268458.tif 000012